(57)【要約】【課題】粘着部により裏面シートの通気性が損なわれることがなく、装着者の歩行時の繰り返し発生する張力によっても、ヨレやズレを生じ難く、装着感や違和感を与え難い吸収性物品を提供すること。【解決手段】本発明のパンティーライナー１Ａは、裏面シート３の非肌当接面に設けた粘着部６ａ，６ｂ，６ｃ，６ｄを介して下着に取り付けられる縦長のものである。粘着部６ａ，６ｂ，６ｃ，６ｄは、パンティーライナー１Ａの長手方向前後端部１ａ，１ｂ及び長手方向両側部１ｃ，１ｄそれぞれに設けられている。パンティーライナー１Ａの中央部１ｅからパンティーライナー１Ａの長手方向前方の両角１ａｃ，１ａｄ及び後方の両角１ｂｃ，１ｂｄに向かって延びる所定幅の帯域及び中央部１ｅは、粘着部６ａ，６ｂ，６ｃ，６ｄが存在しない非粘着部７となっている。【選択図】図１
2010115337.tif 000002
【特許請求の範囲】
【請求項１】
裏面シートの非肌当接面に設けた粘着部を介して下着に取り付けられる縦長の吸収性物品であって、
前記粘着部は、前記吸収性物品の長手方向前後端部及び長手方向両側部それぞれに設けられており、前記吸収性物品の中央部から前記吸収性物品の長手方向前方の両角及び後方の両角に向かって延びる所定幅の帯域及び該中央部は、前記粘着部が存在しない非粘着部となっている吸収性物品。
【請求項２】
前記粘着部それぞれの外縁は、前記吸収性物品の外縁から１０ｍｍ以内であって、該外縁に沿って存在する請求項１に記載の吸収性物品。
【請求項３】
前記非粘着部が、Ｘ字状に形成されている請求項１又は２に記載の吸収性物品。
【請求項４】
前記粘着部それぞれが、ドット状に分散した多数の分割粘着部からなる請求項１〜３の何れかに記載の吸収性物品。
【発明の詳細な説明】
【技術分野】
【０００１】
本発明は、生理用ナプキン、パンティーライナー（おりものシート）、失禁パッド等の各種吸収性物品に関する。
【背景技術】
【０００２】
従来、生理用ナプキン、パンティーライナー（おりものシート）、失禁パッド等の各種吸収性物品においては、装着時のズレ止めを図るために、吸収性物品の裏面シートの非肌当接面に粘着部を設けることが広く行われている。
この粘着部の塗布パターンとして、裏面シートの全面に塗布すれば、例えば裏面シートとして通気性フィルムを用いる場合には裏面シートの通気性が損なわれてしまう。
特許文献１には、装着者との接触性を向上させるために、生理用ナプキンの中央領域を粘着剤により固定せず、生理用ナプキンの４つの角それぞれの近傍に矩形状の粘着剤を設け、各矩形状の粘着剤が生理用ナプキンの中心に向かって配置されている生理用ナプキンが開示されている（特許文献１の図２６Ａ参照）。
【０００３】
【特許文献１】特開２００３−３８５７４号公報
【発明の開示】
【発明が解決しようとする課題】
【０００４】
生理用ナプキン等を下着に固定して使用する場合に、生理用ナプキン等は、装着者の両足の付け根側から幅方向内側に圧力を受けたり、装着者の歩行運動による張力、ひねり、せん断力等の力が加わる等、様々な方向からいろいろなタイミングで複雑な力を受けている。特に、装着者の歩行時には、生理用ナプキン等は対角線方向に張力を繰り返し受けているので、生理用ナプキン等にヨレが生じ易く、下着との固定が外れズレが生じ易くなる。また、ヨレやズレに起因して装着者に違和感を与えてしまう。
特許文献１の生理用ナプキンは、生理用ナプキンの対角線方向にある４つの角に粘着剤を設けているので、装着者の歩行時の繰り返し発生する張力により、生理用ナプキンにヨレが生じ易く、下着との固定が外れズレが生じ易くなる。尚、引用文献１に記載の生理用ナプキンは、構成要素の少なくとも一つが伸縮する材料で形成されており、その構成は本発明と大きく相違する。
【０００５】
従って、本発明の目的は、粘着部により裏面シートの通気性が損なわれることがなく、装着者の歩行時の繰り返し発生する張力によっても、ヨレやズレを生じ難く、装着感や違和感を与え難い吸収性物品を提供することにある。
【課題を解決するための手段】
【０００６】
本発明は、裏面シートの非肌当接面に設けた粘着部を介して下着に取り付けられる縦長の吸収性物品であって、前記粘着部は、前記吸収性物品の長手方向前後端部及び長手方向両側部それぞれに設けられており、前記吸収性物品の中央部から前記吸収性物品の長手方向前方の両角及び後方の両角に向かって延びる所定幅の帯域及び該中央部は、前記粘着部が存在しない非粘着部となっている吸収性物品を提供することにより前記目的を達成したものである。
【発明の効果】
【０００７】
本発明の吸収性物品によれば、粘着部により裏面シートの通気性が損なわれることがない。本発明の吸収性物品によれば、装着者の歩行時の繰り返し発生する張力によっても、ヨレやズレを生じ難く、装着感や違和感を与え難い。
【発明を実施するための最良の形態】
【０００８】
以下、本発明の吸収性物品であるパンティーライナーの好ましい第一実施形態について、図１〜図３に基づいて説明する。
【０００９】
第１実施形態の吸収性物品（パンティーライナー１Ａ）は、図１に示すように、パンティーライナー１Ａの長手方向に延びる中心線ＣＬに対して左右対称に形成されている。
第１本実施形態のパンティーライナー１Ａは、図１〜図３に示すように、裏面シート３の非肌当接面に設けた粘着部６ａ，６ｂ，６ｃ，６ｄを介して下着に取り付けられる縦長のものである。粘着部６ａ，６ｂ，６ｃ，６ｄは、パンティーライナー１Ａの長手方向（ＣＬ方向；中心線ＣＬに平行する方向）前後端部１ａ，１ｂ及び長手方向（ＣＬ方向）両側部１ｃ，１ｄそれぞれに設けられている。パンティーライナー１Ａの中央部１ｅからパンティーライナー１Ａの長手方向（ＣＬ方向）前方の両角１ａｃ，１ａｄ及び後方の両角１ｂｃ，１ｂｄに向かって延びる所定幅の帯域及び中央部１ｅは、粘着部６ａ，６ｂ，６ｃ，６ｄが存在しない非粘着部７となっている。
【００１０】
ここで、「角」とは、角１ａｃを例に説明すると、パンティーライナー１Ａの長手方向（ＣＬ方向）に最も長い部位に位置する点から中心線ＣＬに垂直な方向に延びる仮想線と、パンティーライナー１Ａの幅方向（ＣＬ方向と直交する方向）に最も広い部位に位置する点から中心線ＣＬに平行な方向に延びる仮想線との交点を示す。
【００１１】
第１実施形態のパンティーライナー１Ａについて、詳述すると、第１実施形態のパンティーライナー１Ａは、図１，図２に示すように、液透過性の表面シート２、液不透過性又は撥水性の裏面シート３及び吸収体４を具備している。表面シート２及び裏面シート３それぞれは、同形・同大のシートであり、吸収体４よりも大きい外径寸法を有している。表面シート２及び裏面シート３は、吸収体４の長手方向の両端部及び両側部から延出し、その延出部は互いにヒートシール等により接合され、パンティーライナー１Ａの外縁５を形成している。これらの構成は、従来品と同じである。
【００１２】
次いで、第１実施形態のパンティーライナー１Ａの粘着部６ａ，６ｂ，６ｃ，６ｄについて説明する。
粘着部６ａ，６ｂ，６ｃ，６ｄは、パンティーライナー１Ａを下着に取り付け、固定するためのものであり、図１に示すように、裏面シート３の非肌当接面に設けられている。粘着部６ａと粘着部６ｂとは、図１に示すように、パンティーライナー１Ａの中央部１ｅを対称中心として、パンティーライナー１Ａの長手方向（ＣＬ方向）に対称に形成されており、粘着部６ｃと粘着部６ｄとは、図１に示すように、パンティーライナー１Ａの中央部１ｅを対称中心として、パンティーライナー１Ａの幅方向（ＣＬ方向と直交する方向）に対称に形成されている。従って、以下では、主として粘着部６ａ及び粘着部６ｃについて詳述し、粘着部６ｂ及び粘着部６ｄについては、適宜説明を省略する。
【００１３】
粘着部６ａは、図１に示すように、パンティーライナー１Ａの長手方向（ＣＬ方向）前端部１ａに設けられており、中央部１ｃから長手方向（ＣＬ方向）外方に向かって広がる扇状の形状である。粘着部６ａの長さＬ１は、図１に示すように、対応する製品サイズに応じて、適宜自由に選択できるが、第１実施形態の場合は、それぞれ、４０ｍｍ〜７０ｍｍであり、その幅Ｗ１も、対応する製品サイズに応じて、適宜自由に選択できるが、第１実施形態の場合は、それぞれ３０ｍｍ〜６０ｍｍである。長さＬ１は、粘着部６ａの中で、長手方向（ＣＬ方向）に最も長い部分の長さであり、幅Ｗ１は、粘着部６ａの中で、幅方向（ＣＬ方向と直交する方向）に最も広い部分の長さである。
【００１４】
粘着部６ａは、図１に示すように、パンティーライナー１Ａの外縁５寄りの外縁６ａ１が、外縁５から１０ｍｍ以内であることが好ましく、５ｍｍ以内であることが更に好ましい。１０ｍｍ以内であれば、パンティーライナーの端部固定が十分になり、端部のめくれや折れが生じ難くなる。また、粘着部６ａの外縁６ａ１は、図１に示すように、パンティーライナー１Ａの外縁５に沿って延在している。即ち、粘着部６ａの外縁６ａ１は、パンティーライナー１Ａの外縁５の形状に合わせて形成されている。
【００１５】
粘着部６ｃは、図１に示すように、パンティーライナー１Ａの長手方向（ＣＬ方向）右側側部１ｃに設けられており、中央部１ｃから幅方向（ＣＬ方向と直交する方向）外方に向かって広がる三角形状である。粘着部６ｃの長さＬ２は、図１に示すように、対応する製品サイズに応じて、適宜自由に選択できるが、第１実施形態の場合は、それぞれ、９０ｍｍ〜１４０ｍｍであり、その幅Ｗ２も、対応する製品サイズに応じて、適宜自由に選択できるが、第１実施形態の場合は、それぞれ１０ｍｍ〜３０ｍｍである。長さＬ２及び幅Ｗ２の測定は、上述した長さＬ１又は幅Ｗ１の測定と同様な部分を測定する。
【００１６】
粘着部６ｃは、図１に示すように、粘着部６ａ同様、パンティーライナー１Ａの外縁５寄りの外縁６ｃ１が、外縁５から１０ｍｍ以内であることが好ましく、５ｍｍ以内であることが更に好ましい。１０ｍｍ以内であれば、パンティーライナーの端部固定が十分になり、端部のめくれや折れが生じ難くなる。また、粘着部６ｃの外縁６ｃ１は、図１に示すように、パンティーライナー１Ａの外縁５に沿って延在している。即ち、粘着部６ｃの外縁６ｃ１は、パンティーライナー１Ａの外縁５の形状に合わせて形成されている。
【００１７】
粘着部６ａ，６ｂ，６ｃ，６ｄを形成する粘着剤の塗布量は、２０ｇ／ｍ2〜６０ｇ／ｍ2である。粘着部６ａ，６ｂ，６ｃ，６ｄそれぞれの粘着剤の塗布量を変更していてもよく、例えば、パンティーライナー１Ａの長手方向（ＣＬ方向）のズレを防止する観点から、パンティーライナー１Ａの長手方向（ＣＬ方向）前後端部１ａ，１ｃの粘着部６ａ，６ｂの塗布量を、パンティーライナー１Ａの長手方向（ＣＬ方向）両側部１ｃ，１ｄの粘着部６ｃ，６ｄの塗布量に比べ、多くしても良い。
【００１８】
パンティーライナー１Ａは、裏面シート３の非肌当接面に非粘着部７を設けている。非粘着部７は、図１に示すように、パンティーライナー１Ａの中央部１ｅからパンティーライナー１Ａの長手方向（ＣＬ方向）前方の両角１ａｃ，１ａｄ及び後方の両角１ｂｃ，１ｂｄに向かって延びる所定幅の帯域及び中央部１ｅによりＸ字状に形成されている。該帯域の幅Ｗ３は、好ましくは、５ｍｍ〜２５ｍｍであり、さらに好ましくは、１０ｍｍ〜１５ｍｍである。２５ｍｍ以下であれば、パンティーライナーと下着の密着性が低くなりすぎず、ヨレ、シワやズレが生じ難くなり、５ｍｍ以上であれば、歩行等の動作時に生じる下着とパンティーライナーのひずみを緩和することができ、装着者に違和感を与え難い。
【００１９】
第１実施形態のパンティーライナー１Ａの形成材料について説明する。
上記表面シート２、上記裏面シート３、上記吸収体４としては、通常、パンティーライナー等の吸収性物品に用いられるものであれば、特に制限なく用いることができる。例えば、表面シート２としては、液透過性の不織布や、開孔フィルム等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものを、ティッシュペーパーや透水性の不織布等の被覆材で包んでなるもの等を用いることができる。また、吸収体４としては、パルプ繊維等からなる繊維集合体と高吸収性ポリマーとからなる吸収シート等を用いることができる。また、表面シート２と裏面シート３とを接合する接合方法としては、公知の接合方法を利用することができる。
【００２０】
第１実施形態のパンティーライナー１Ａの粘着部６ａ，６ｂ，６ｃ，６ｄを構成する粘着剤としては、従来の吸収性物品に用いられている粘着剤を特に制限なく用いることができる。例えば、スチレン−イソプレン−スチレンブロック共重合体（ＳＩＳ）、スチレン−ブタジエン−スチレンブロック共重合体（ＳＢＳ）、スチレン−エチレン−ブチレン−エチレン共重合体（ＳＥＢＳ）等のホットメルト粘着剤等やハップ剤等で使用するゲル状粘着剤等を用いることができ、これらの中でも、粘着物性の経時変化の少ない点から、スチレン−エチレン−ブチレン−エチレン共重合体（ＳＥＢＳ）を用いることが好ましい。これらのホットメルト粘着剤は、オイル成分等の添加剤の添加量を調整することで弾性力及び接着力を調整して用いることができる。
【００２１】
第１実施形態のパンティーライナー１Ａの粘着部６ａ，６ｂ，６ｃ，６ｄの塗布装置としては、従来の吸収性物品に用いられているスロットコーター、スパイラルコーター、スプレーコーター等を用いることができる。
【００２２】
次に上述した本発明の第一実施形態のパンティーライナー１Ａの一使用形態及び作用効果について説明する。
パンティーライナー１Ａは、使用に際して、図３に示すように、粘着部６ａ，６ｂ，６ｃ，６ｄを介して、下着（ショーツ）８の股下域に取り付けられて使用される。
パンティーライナー１Ａは、裏面シート３の全面に配置された粘着剤ではなく、４箇所の粘着部６ａ，６ｂ，６ｃ，６ｄにより、固定されているため、裏面シート３の通気性が損なわれることがない。特に、パンティーライナー１Ａの中央部１ｅに粘着剤が配されていないため、パンティーライナー１Ａは、装着者の体液排泄部付近の通気性が向上する。
【００２３】
また、パンティーライナー１Ａは、４つの角に粘着部を設けておらず、中央部１ｅからパンティーライナー１Ａの長手方向（ＣＬ方向）前方の両角１ａｃ，１ａｄ及び後方の両角１ｂｃ，１ｂｄに向かって延びる所定幅の帯域及び中央部１ｅによりＸ字状に形成された非粘着部７を設けている。その為、パンティーライナー１Ａを装着した状態で、装着者が歩行し、対角線方向に張力を繰り返し受けたとしても、その張力を緩和し、パンティーライナー１Ａにヨレが生じ難く、下着８との固定が外れ難くズレ難い。よって、ヨレやズレに起因する違和感を装着者に与えることが少なくなる。
【００２４】
また、パンティーライナー１Ａの粘着部６ａ，６ｂ，６ｃ，６ｄそれぞれの外縁６ａ１，６ｂ１，６ｃ１，６ｄ１は、パンティーライナー１Ａの外縁５から１０ｍｍ以内に配置されているため、パンティーライナー１Ａが剥がれ難い。さらに、パンティーライナー１Ａの粘着部６ａ，６ｂ，６ｃ，６ｄそれぞれの外縁６ａ１，６ｂ１，６ｃ１，６ｄ１は、パンティーライナー１Ａの外縁５の形状に合わせて形成されているため、パンティーライナー１Ａがさらに剥がれ難い。
【００２５】
次に、本発明の第２実施形態のパンティーライナーについて、図４に基づいて説明する。
第２実施形態のパンティーライナー１Ｂについては、第１実施形態のパンティーライナー１Ａと異なる点について説明する。特に説明しない点は、第１実施形態のパンティーライナー１Ａと同様であり、第１実施形態のパンティーライナー１Ａの説明が適宜適用される。
【００２６】
第２実施形態のパンティーライナー１Ｂの粘着部６ａ，６ｂ，６ｃ，６ｄそれぞれは、ドット状に分散した多数の分割粘着部６１ａ，６１ｂ，６１ｃ，６１ｄから形成されている。具体的には、粘着部６ａは、図４に示すように、ドット状に分散した多数の分割粘着部６１ａから形成されている。分割粘着部６１ａの形状は、図８に示すような円形状や、多角形状が挙げられる。分割粘着部６１ａの数は、対応する製品サイズに応じて、適宜自由に選択できる。図４に示すように、分割粘着部６１ａの形状が円形状である場合には、その直径は０．１ｍｍ〜１０ｍｍである。分割粘着部６１ａの形状が多角形状である場合には、その対角線の長さが１ｍｍ〜１０ｍｍである。尚、粘着部６ｂの分割粘着部６１ｂは、粘着部６ａの分割粘着部６１ａと同様である。
【００２７】
粘着部６ｃは、図４に示すように、ドット状に分散した多数の分割粘着部６１ｃから形成されている。分割粘着部６１ｃの形状は、図８に示すような円形状や、多角形状が挙げられる。分割粘着部６１ｃの数は、対応する製品サイズに応じて、適宜自由に選択できる。分割粘着部６１ｃの形状が円形状である場合には、その直径は０．１ｍｍ〜１０ｍｍである。分割粘着部６１ｃの形状が多角形状である場合には、その対角線の長さが１ｍｍ〜１０ｍｍである。尚、粘着部６ｄの分割粘着部６１ｄは、粘着部６ｃの分割粘着部６１ｃと同様である。
【００２８】
上述した本発明の第２実施形態のパンティーライナー１Ｂを使用した際の作用効果について説明する。第２実施形態のパンティーライナー１Ｂについては、第１実施形態のパンティーライナー１Ａと異なる効果について説明する。特に説明しない点は、第１実施形態のパンティーライナー１Ａと同様の効果を奏し、第１実施形態のパンティーライナー１Ａの説明が適宜適用される。
【００２９】
第２実施形態のパンティーライナー１Ｂは、粘着部６ａ，６ｂ，６ｃ，６ｄそれぞれが、ドット状に分散した多数の分割粘着部６１ａ，６１ｂ，６１ｃ，６１ｄから形成されているので、裏面シート３の通気性が損なわれることがなく、パンティーライナー１Ａに比べ、更にパンティーライナー１Ｂの通気性が向上する。
【００３０】
本発明の吸収性物品は、第１〜第２実施形態のパンティーライナー１Ａ，１Ｂに何ら制限されず、例えば、次に説明するように、適宜変更可能である。また、第１〜第２実施形態のパンティーライナー１Ａ，１Ｂにおける各構成要件は、本発明の趣旨を損なわない範囲で、適宜組み合わせて実施できる。
【００３１】
例えば、上述した第１〜第２実施形態のパンティーライナー１Ａ，１Ｂにおいては、粘着部６ａ，６ｂの形状は扇状であり、粘着部６ｃ，６ｄの形状は三角形状であるが、非粘着部７上に設けなければ、これらの形状には限られない。例えば、図５に示すように、粘着部６ａ，６ｂ，６ｃ，６ｄの形状が何れも矩形状であってもよい。
【００３２】
また、上述した第１〜第２実施形態のパンティーライナー１Ａ，１Ｂにおいては、非粘着部７の形状は、Ｘ字状であるが、Ｘ字状でなくてもよい。即ち、図５に示すように、中央部１ｅから長手方向（ＣＬ方向）前方の両角１ａｃ，１ａｄ及び後方の両角１ｂｃ，１ｂｄに向かって延びる所定幅の帯域及び中央部１ｅに粘着剤が塗布されていなければよい。また、中央部１ｅからパンティーライナー１Ａの前方の両角１ａｃ，１ａｄ及び後方の両角１ｂｃ，１ｂｄに向かって延びる帯域の幅は、一定幅でなくてもよい。
【００３３】
また、上述した第１〜第２実施形態のパンティーライナー１Ａ，１Ｂにおいては、粘着部６ａ，６ｂのそれぞれの外縁６ａ１，６ｂ１は、パンティーライナーの外縁５に沿っているが、例えば、図５に示す粘着部６ａ，６ｂの外縁のように、パンティーライナーの外縁５に沿っていなくてもよい。
【００３４】
また、上述した第１〜第２実施形態のパンティーライナー１Ａ，１Ｂにおいては、粘着部６ａの形状は粘着部６ｂの形状と対称であり、粘着部６ｃの形状は粘着部６ｄの形状と対称であるが、対称形状でなくてもよい。
【００３５】
本発明の吸収性物品は、パンティーライナー以外にも、例えば、生理用ナプキン、失禁者用パッド等に好適に用いることができる。
【図面の簡単な説明】
【００３６】
【図１】図１は、本発明の第１実施形態であるパンティーライナーの平面図である。
【図２】図２は、図１に示すパンティーライナーのＸ−Ｘ線断面図である。
【図３】図３は、図１に示すパンティーライナーを下着に取り付けた状態を表す図である。
【図４】図４は、本発明の第２実施形態であるパンティーライナーの平面図である。
【図５】図５は、本発明のその他の実施形態であるパンティーライナーの平面図である。
【符号の説明】
【００３７】
１Ａ，１Ｂ，１Ｃ  パンティーライナー
１ａ  前端部  、１ｂ  後端部
１ｃ  右側側部  、１ｄ  左側側部
１ａｃ，１ａｄ  前方の角  、１ｂｃ，１ｂｄ  後方の角
２  表面シート
３  裏面シート
３１  ウイング部
４  吸収体
５  パンティーライナーの外縁
６ａ，６ｂ，６ｃ，６ｄ  粘着部
６ａ１，６ｂ１，６ｃ１，６ｄ１  粘着部の外縁
６１ａ，６１ｂ，６１ｃ，６１ｄ  分割粘着部
７  非粘着部
８  下着
【図１】
2010115337.tif 000003
【図２】
2010115337.tif 000004
【図３】
2010115337.tif 000005
【図４】
2010115337.tif 000006
【図５】
2010115337.tif 000007